(57)【要約】      （修正有）【課題】配置可能な空間が制限される欠点や、ロック機構において力点及び作用点が枢設部の同じ側に位置することによる、容易に解錠操作をすることができないといった問題を解決できるロック機構を提供する。【解決手段】第一端部１１と第二端部１２と両端部１１、１２との間に位置する枢設部１３とを有する駆動部材１０と、駆動部材１０の第一端部１１に当接される弾性部材２０と、第一端と第二端とを具備するラッチボルト３２と、ラッチボルト３２の第一端に設けられるラッチヘッド３１とを有するラッチユニット３０と、第一連結部４１と第二連結部４２と両連結部４１、４２との間に位置する枢設部４３とを有する連動プレート４０を備え、連動プレート４０は、駆動部材１０とラッチユニット３０との間に介設され、且つ第一連結部４１は、駆動部材１０の第二端部１２に連結されると共に、第二連結部４２は、ラッチボルト３２の第二端に連結される。【選択図】図３
2011001733.tif 000002
【特許請求の範囲】
【請求項１】
第一端部（１１）と、第二端部（１２）と、該第一端部（１１）と第二端部（１２）との間に位置する枢設部（１３）とを有する駆動部材（１０）と、
前記駆動部材（１０）の第一端部（１１）に当接される弾性部材（２０）と、
第一端と第二端とを具備するラッチボルト（３２）と、該ラッチボルト（３２）の第一端に設けられるラッチヘッド（３１）とを有するラッチユニット（３０）と、
第一連結部（４１）と、第二連結部（４２）と、該第一連結部（４１）と第二連結部（４２）との間に位置する枢設部（４３）とを有する連動プレート（４０）と、を備え、
前記連動プレート（４０）は、駆動部材（１０）とラッチユニット（３０）との間に介設され、且つ前記第一連結部（４１）は、駆動部材（１０）の第二端部（１２）に連結されると共に、前記第二連結部（４２）は、ラッチボルト（３２）の第二端に連結されることを特徴とするロック機構。
【請求項２】
前記ラッチユニット（３０）には、更にばね（３３）と、位置決めブロック（３４）とが設けられ、
前記ラッチボルト（３２）の第二端は、ばね（３３）及び連動プレート（４０）の第二連結部（４２）に挿設されると共に、該位置決めブロック（３４）に固設され、
前記第二連結部（４２）は、ばね（３３）と位置決めブロック（３４）との間に位置することを特徴とする請求項１に記載のロック機構。
【請求項３】
前記弾性部材（２０）は、第一圧縮ばね（２１）と、該第一圧縮ばね（２１）の内部に位置する第二圧縮ばね（２２）とを有することを特徴とする請求項１または２に記載のロック機構。
【請求項４】
前記駆動部材（１０）の側部には、係止軸（２F）に係止することにより駆動部材（１０）の回動角度を制限するための係止部（１４）が形成されることを特徴とする請求項３に記載のロック機構。
【発明の詳細な説明】
【技術分野】
【０００１】
本発明は、特にドアロックにおけるロック機構に関するものである。
【背景技術】
【０００２】
芯軸の回転に連動してロック機構が作動するドアロックには、例えば、中国特許出願第２００７１００６６９１６号及び台湾特許出願第２００７１２３０１号などを有する。
【０００３】
前記中国特許出願第２００７１００６６９１６号におけるドアロックは、駆動軸に連動すると共に、ばねの付勢力により解錠位置方向へ付勢される副ラッチヘッドと共に回動プレート挟み込む連動軸が設けられ、該回動プレートの一端が枢設部となっており、該連動軸より回動プレートに対して力を加える力点と、該回動プレートにおける該副ラッチヘッドに接触する作用点とが該枢設部の同じ側に位置するものである。
【０００４】
台湾特許出願第２００７１２３０１号においては、ラッチボルトの一端にラッチ作動部が設けられ、これにより、直接にラッチボルトを駆動して横方向に移動させるものである。
【先行技術文献】
【特許文献】
【０００５】
【特許文献１】中国特許出願第２００７１００６６９１６号
【特許文献２】台湾特許出願第２００７１２３０１号
【発明の概要】
【発明が解決しようとする課題】
【０００６】
しかしながら、上記従来の装置には、以下のような欠点がある。
１．中国特許出願第２００７１００６６９１６号における支点から作用点までの距離は、支点から力点までの距離より大きいので、駆動軸により連動軸及び回動プレートを介して副ラッチヘッド部を移動させるのに、より手間がかかってしまう。また、力点及び作用点は共に枢設部と同じ側に位置するので、互いに連動する際の各部材間への干渉を避けるように、錠ケースにロック機構を設置するための位置や空間が非常に制限されてしまうという問題があった。
２．台湾特許出願第２００７１２３０１号においては、ラッチ作動部の回動により、ラッチボルトを駆動させて横方向に直線的に移動させることができるが、作動中、互いに連動する各部材間の干渉により、操作が困難になってしまうという欠点があった。
【０００７】
そこで、出願されたのが本発明であって、前記従来のロック機構を錠ケースに設置する際における、配置可能な空間が制限されるといった欠点を解決すると共に、ロック機構において力点及び作用点が枢設部と同じ側に位置することによる、解錠操作に手間がかかるといった問題を解決することができるロック機構を提供することを目的としている。
【課題を解決するための手段】
【０００８】
本願の請求項１の発明は、第一端部（１１）と、第二端部（１２）と、該第一端部（１１）と第二端部（１２）との間に位置する枢設部（１３）とを有する駆動部材（１０）と、
前記駆動部材（１０）の第一端部（１１）に当接される弾性部材（２０）と、
第一端と第二端とを具備するラッチボルト（３２）と、該ラッチボルト（３２）の第一端に設けられるラッチヘッド（３１）とを有するラッチユニット（３０）と、
第一連結部（４１）と、第二連結部（４２）と、該第一連結部（４１）と第二連結部（４２）との間に位置する枢設部（４３）とを有する連動プレート（４０）と、を備え、
前記連動プレート（４０）は、駆動部材（１０）とラッチユニット（３０）との間に介設され、且つ前記第一連結部（４１）は、駆動部材（１０）の第二端部（１２）に連結されると共に、前記第二連結部（４２）は、ラッチボルト（３２）の第二端に連結されることを特徴とするロック機構、を提供する。
【０００９】
本願の請求項２の発明は、前記ラッチユニット（３０）には、更にばね（３３）と、位置決めブロック（３４）とが設けられ、
前記ラッチボルト（３２）の第二端は、ばね（３３）及び連動プレート（４０）の第二連結部（４２）に挿設されると共に、該位置決めブロック（３４）に固設され、
前記第二連結部（４２）は、ばね（３３）と位置決めブロック（３４）との間に位置することを特徴とするロック機構、を提供する。
【００１０】
本願の請求項３の発明は、前記弾性部材（２０）は、第一圧縮ばね（２１）と、該第一圧縮ばね（２１）の内部に位置する第二圧縮ばね（２２）とを有することを特徴とするロック機構、を提供する。
【００１１】
本願の請求項４の発明は、前記駆動部材（１０）の側部には、係止軸（２F）に係止することにより駆動部材（１０）の回動角度を制限するための係止部（１４）が形成されることを特徴とするロック機構、を提供する。
【発明の効果】
【００１２】
本発明のロック機構は、従来のロック機構に比べ、以下に示すような利点がある。
１．       
連動プレートを、駆動部材とラッチユニットのラッチボルトとの間に設置するため、連動プレート及び駆動部材の中段部を枢設部として、両端部を夫々力点及び作用点とすることにより、互いに連動する各部材間の干渉を解消できることから、ロック機構を錠ケースに配置する際には、部材間の連動状態やストロークに応じて配置すべき位置を容易に調節できることから、配置空間における制限を緩和することがてきる。
２．       
上述したように、本発明においては、連動プレート及び駆動部材の中段部を枢設部として、両端部を夫々力点及び作用点とすることから、連動プレート及び駆動部材は共に、回動方式により伝動または連動することができるので、連動する各部材間の干渉を解消できると共に、解錠操作の手間を省くことができる。
【発明を実施するための形態】
【００１３】
以下、添付図面を参照して本発明の好適な実施の形態を詳細に説明する。
【００１４】
図１は本発明に係るロック機構が錠ケースに設置された状態を示す斜視図であり、図２は図１に示す実施例の分解斜視図であり、図３は図１に示す実施例の施錠状態を示す図であり、図４は図１に示す実施例の解錠状態を示す図である。
【００１５】
図１及び図２は、本発明に係るロック機構（１）を有するドアロックの実施例を示す図であり、該ドアロックは、錠ケース（２）と、カバー（３）と、係止ユニット（４）と、本発明に係るロック機構（１）と、を有するものである。
【００１６】
前記錠ケース（２）には、前記係止ユニット（４）及びロック機構（１）を収容するための設置空間（２A）が形成され、
該設置空間（２A）の一側には、設置空間（２A）に連通するラッチ穴（２C）と、該ラッチ穴（２C）の縁から設置空間（２A）に向かって延設されるラッチガイド（２D）と、を有するフロントプレート（２B）が設けられ、前記錠ケース（２）における、ラッチガイド（２D）の側端に位置決めプレート（２E）が設けられる。
【００１７】
前記カバー（３）は、前記設置空間（２A）をカバーするために前記錠ケース（２）に被装されるものであり、
前記係止ユニット（４）は、回動可能に前記設置空間（２A）に枢設される回動軸（４A）と、該回動軸（４A）と連動し、移動可能に該設置空間（２A）に設置される係止ブロック（４B）とを有し、該係止ブロック（４B）の移動により、前記ロック機構（１）の動作を制限し、扉が固定状態から解除されることを防止する。
【００１８】
前記ロック機構（１）は、駆動部材（１０）と、弾性部材（２０）と、ラッチユニット（３０）と、連動プレート（４０）とを備えると共に、前記錠ケース（２）における設置空間（２A）に設置されるものである。
前記駆動部材（１０）は、第一端部（１１）と、第二端部（１２）と、該第一端部（１１）と第二端部（１２）との間に位置する枢設部（１３）とを有し、該駆動部材（１０）は、該枢設部（１３）を駆動軸(図示せず)に枢着させることにより前記設置空間（２A）に設置されるものであるので、該駆動軸の作動により駆動部材（１０）を回動させることができる。また、前記錠ケース（２）の設置空間（２A）における係止軸（２F）は、該駆動部材（１０）の近傍に設けられると共に、該駆動部材（１０）の側部には、駆動部材（１０）が回動する際に該係止軸（２F）に係止可能な係止部（１４）が形成され、該係止部（１４）は、該係止軸（２F）に係止することにより、駆動部材（１０）の回動角度を制限することができる。
【００１９】
前記弾性部材（２０）は、前記錠ケース（２）の設置空間（２A）に設置され、一端が前記駆動部材（１０）の第一端部（１１）に当接されると共に、他端が該錠ケース（２）の側壁に当接され、該弾性部材（２０）は、例えばばねなどの弾性を有する部材からなるものであり、本実施例における弾性部材（２０）は、第一圧縮ばね（２１）と、該第一圧縮ばね（２１）の内部に位置する第二圧縮ばね（２２）とを有するものである。
【００２０】
前記ラッチユニット（３０）は、前記錠ケース（２）の設置空間（２A）に設置されると共に、使用者の操作により前記ラッチ穴（２C）を通過して設置空間（２A）の外側へ突出できるものである。尚、本実施例におけるラッチユニット（３０）は、ラッチボルト（３２）と、ラッチヘッド（３１）と、ばね（３３）と、位置決めブロック（３４）とを有するものである。
前記ラッチボルト（３２）は、第一端と、第二端と、該第一端に位置する固設部（３２１）と、該第二端に位置する取り付け部（３２２）と、該取り付け部（３２２）に隣接する部位に形成される当接部（３２３）とを有すると共に、前記ラッチガイド（２D）の側端に位置する位置決めプレート（２E）に貫設されるものである。
前記ラッチヘッド（３１）は、該ラッチボルト（３２）における固設部（３２１）に固接されると共に、移動可能に前記ラッチガイド（２D）に設置されるものである。
該ばね（３３）は、該ラッチボルト（３２）における取り付け部（３２２）に環装され、且つその一端が前記当接部（３２３）に当接されると共に、他端が錠ケース（２）に当接されるものである。
前記位置決めブロック（３４）は、該ラッチボルト（３２）における取り付け部（３２２）の末端に固設されるものである。
【００２１】
前記連動プレート（４０）は、第一連結部（４１）と、第二連結部（４２）と、該第一連結部（４１）と第二連結部（４２）との間に位置する枢設部（４３）とを有すると共に、該枢設部（４３）を枢軸(４４)に枢設することにより、前記錠ケース（２）における設置空間（２A）に設置されるものであり、そのうち第一連結部（４１）は、前記駆動部材（１０）の第二端部（１２）に当接されると共に、該第二連結部（４２）は、前記該ラッチボルト（３２）の取り付け部（３２２）と連結されて前記ばね（３３）と位置決めブロック（３４）との間に配置される。
【００２２】
図３に示すように、施錠状態とする時は、本発明のロック機構（１）を有するドアロックにおける弾性部材（２０）を、駆動部材（１０）の第一端部（１１）に当接して付勢力を与えると共に、ラッチユニット（３０）のばね（３３）によりラッチボルト（３２）に付勢力を与えることにより、ラッチヘッド（３１）を、ラッチ穴（２C）を通過させて設置空間（２A）の外側へ突出させればよい。また、この施錠状態によれば、回動軸（４A）を駆動することにより、前記係止ブロック（４B）をラッチユニット（３０）の近傍へ移動させることができるので、ラッチユニット（３０）の解錠位置方向への移動を阻止することができる。
【００２３】
一方、図４に示すように、解錠状態とする時は、駆動軸(図示せず)を駆動することにより、駆動部材（１０）を時計回りに回動させ、該駆動部材（１０）の第一端部（１１）により弾性部材（２０）を縮退させると共に、駆動部材（１０）の第二端部（１２）により連動プレート（４０）における第一連結部（４１）を押圧して連動プレート（４０）を逆時計回りに回動させ、続いて該連動プレート（４０）における第二連結部（４２）によりラッチユニット（３０）におけるラッチボルト（３２）を押圧して横方向に移動させれば、ラッチヘッド（３１）がラッチガイド（２D）内に進入して解錠状態となる。
【産業上の利用可能性】
【００２４】
本発明は上記の構成を有するので、ロック機構における駆動部材及び連動プレートの中段部が枢設部となると共に、夫々力点及び作用点となる両端が部材間の連結部位となるので、ロック機構を錠ケースに配置する際の、配置空間による制限を緩和することができると共に、解錠操作に要する手間をより低減することができる。
【図面の簡単な説明】
【００２５】
【図１】本発明に係るロック機構が錠ケースに設置された状態を示す斜視図である。
【図２】図１に示す実施例の分解斜視図である。
【図３】図１に示す実施例の施錠状態を示す図である。
【図４】図１に示す実施例の解錠状態を示す図である。
【符号の説明】
【００２６】
１          ロック機構
１０        駆動部材
１１        第一端部
１２        第二端部
１３        枢設部
１４        係止部
２          錠ケース
２A        設置空間
２B        フロントプレート
２C        ラッチ穴
２D        ラッチガイド
２F        係止軸
２０        弾性部材
２１        第一圧縮ばね
２２        第二圧縮ばね
３          カバー
３０        ラッチユニット
３１        ラッチヘッド
３２        ラッチボルト
３２１      固接端
３２２      取り付け端
３２３      当接部
３３        ばね
３４        位置決めブロック
４０        連動プレート
４１        第一連結部
４２        第二連結部
４３        枢設部
４４        枢軸
【図１】
2011001733.tif 000003
【図２】
2011001733.tif 000004
【図３】
2011001733.tif 000005
【図４】
2011001733.tif 000006